(57)【要約】【課題】バックアップ電力が供給されている状態を無停電電源装置から直接知ることができないストレージ装置についても商用電源の停電時にバックアップ電力が供給されている状態に対応した処理を行うことを可能にさせる。【解決手段】ネットワークＮ１に接続された第一および第二のストレージ装置２００，３００に少なくとも無停電電源装置１００からの電源が供給され、前記第一のストレージ装置２００は、無停電電源装置の電源状態信号生成回路１６２で生成されるバックアップ電力の供給を表す状態の信号を入力したとき、自らに対してバックアップ電力が供給されている状態に対応した処理を行い、第二のストレージ装置３００は、電源状態信号生成回路１６２から前記第一のストレージ装置２００へバックアップ電力の供給を表す状態の信号が入力されたことに応じて、自らに対してバックアップ電力が供給されている状態に対応した処理を行う。【選択図】図１
2008182787.tif 000002
【特許請求の範囲】
【請求項１】
ネットワークに少なくとも第一および第二のストレージ装置が接続され、該第一および第二のストレージ装置に少なくとも無停電電源装置からの電源が供給されるストレージ電源供給システムであって、
前記無停電電源装置は、商用電源の停電時にバックアップ電力を供給するバックアップ回路と、供給している電源の状態を表す信号を生成する電源状態信号生成回路とを備え、
前記第一のストレージ装置は、前記電源状態信号生成回路に接続され、該電源状態信号生成回路で生成されるバックアップ電力の供給を表す状態の信号を入力したとき、自らに対してバックアップ電力が供給されている状態に対応した処理を行い、
前記第二のストレージ装置は、前記電源状態信号生成回路から前記第一のストレージ装置へバックアップ電力の供給を表す状態の信号が入力されたことに応じて、自らに対してバックアップ電力が供給されている状態に対応した処理を行うことを特徴とするストレージ電源供給システム。
【請求項２】
前記第一のストレージ装置は、前記電源状態信号生成回路で生成されるバックアップ電力の供給を表す状態の信号を入力したとき、バックアップ電力の被供給に対応した情報を生成するとともに自らに対してバックアップ電力が供給されている状態に対応した処理を行い、
前記第二のストレージ装置は、前記第一のストレージ装置でバックアップ電力の被供給に対応した情報が生成されたとき、自らに対してバックアップ電力が供給されている状態に対応した処理を行うことを特徴とする請求項１に記載のストレージ電源供給システム。
【請求項３】
前記第一のストレージ装置は、前記電源状態信号生成回路に信号ケーブルで接続され、該信号ケーブルを介して前記電源状態信号生成回路からバックアップ電力の供給を表す状態の信号を入力したとき、前記第二のストレージ装置に対するシャットダウンの指示を前記ネットワークに出力するとともに自らに対してシャットダウンの処理を行い、
前記第二のストレージ装置は、前記ネットワークからシャットダウンの指示を入力したとき、自らに対してシャットダウンの処理を行うことを特徴とする請求項１または請求項２に記載のストレージ電源供給システム。
【請求項４】
前記第一のストレージ装置は、前記電源状態信号生成回路で生成されるバックアップ電力の供給を表す状態の信号を入力したとき、前記第二のストレージ装置の存在を問い合わせる情報を前記ネットワークに出力し、
前記第二のストレージ装置は、前記ネットワークから第二のストレージ装置の存在を問い合わせる情報を入力したとき、自らの存在を表す情報を前記ネットワークに出力し、
前記第一のストレージ装置は、前記ネットワークから第二のストレージ装置の存在を表す情報を入力したとき、バックアップ電力の被供給に対応した情報を前記ネットワークに出力するとともに自らに対してバックアップ電力が供給されている状態に対応した処理を行い、
前記第二のストレージ装置は、前記ネットワークからバックアップ電力の被供給に対応した情報を入力したとき、自らに対してバックアップ電力が供給されている状態に対応した処理を行うことを特徴とする請求項１〜請求項３のいずれか一項に記載のストレージ電源供給システム。
【請求項５】
前記第一のストレージ装置は、前記電源状態信号生成回路で生成されるバックアップ電力の供給を表す状態の信号を入力したとき、前記第二のストレージ装置に対してバックアップ電力の被供給に対応した情報を出力し、
前記第二のストレージ装置は、前記第一のストレージ装置からバックアップ電力の被供給に対応した情報を入力したとき、バックアップ電力が供給されている状態に対応した処理の開始が表された処理開始情報を前記第一のストレージ装置に出力するとともに自らに対してバックアップ電力が供給されている状態に対応した処理を行い、
前記第一のストレージ装置は、前記第二のストレージ装置に対してバックアップ電力の被供給に対応した情報を出力してから所定期間内に該第二のストレージ装置から前記処理開始情報を入力したときには自らに対してバックアップ電力が供給されている状態に対応した処理を行う一方、前記所定期間内に前記第二のストレージ装置から前記処理開始情報が入力されないときに再び該第二のストレージ装置に対してバックアップ電力の被供給に対応した情報を出力する処理を所定の上限回数内で行い、該処理を前記上限回数行った後に前記所定期間内に前記第二のストレージ装置から前記処理開始情報が入力されないときには自らに対してバックアップ電力が供給されている状態に対応した処理を行うことを特徴とする請求項１〜請求項４のいずれか一項に記載のストレージ電源供給システム。
【請求項６】
前記無停電電源装置は、自らの動作を制御するための信号を入力可能な制御信号入力回路を備え、バックアップ電力の供給を停止させる信号を前記制御信号入力回路に入力したときにバックアップ電力の供給を停止させる装置とされ、
前記第一のストレージ装置は、前記制御信号入力回路に接続され、該制御信号入力回路にバックアップ電力の供給を停止させる信号を出力することにより、自らに対してバックアップ電力が供給されている状態に対応した処理を行った後に前記無停電電源装置に対してバックアップ電力の供給を停止させることを特徴とする請求項１〜請求項５のいずれか一項に記載のストレージ電源供給システム。
【請求項７】
前記無停電電源装置は、自らの動作を制御するための信号を入力可能な制御信号入力回路を備え、バックアップ電力の供給を停止させる信号を前記制御信号入力回路に入力したときにバックアップ電力の供給を停止させる装置とされ、
前記第一のストレージ装置は、前記制御信号入力回路に接続され、前記第二のストレージ装置に対してバックアップ電力の被供給に対応した情報を出力してから前記所定期間内に該第二のストレージ装置から前記処理開始情報を入力したときには前記制御信号入力回路にバックアップ電力の供給を停止させる信号を出力することにより自らに対してバックアップ電力が供給されている状態に対応した処理を行った後に前記無停電電源装置に対してバックアップ電力の供給を停止させる一方、前記所定期間内に前記第二のストレージ装置から前記処理開始情報が入力されないときに再び該第二のストレージ装置に対してバックアップ電力の被供給に対応した情報を出力する処理を前記上限回数行った後に前記所定期間内に前記第二のストレージ装置から前記処理開始情報が入力されないときには前記制御信号入力回路にバックアップ電力の供給を停止させる信号を出力せずに自らに対してバックアップ電力が供給されている状態に対応した処理を行うことを特徴とする請求項５に記載のストレージ電源供給システム。
【請求項８】
ネットワークに少なくとも第一および第二のストレージ装置が接続され、該第一および第二のストレージ装置に少なくとも無停電電源装置からの電源が供給されるストレージ電源供給システムであって、
前記無停電電源装置は、商用電源の停電時にバックアップ電力を供給するバックアップ回路と、供給している電源の状態を表す信号を生成する電源状態信号生成回路と、自らの動作を制御するための信号を入力可能な制御信号入力回路とを備え、バックアップ電力の供給を停止させる信号を前記制御信号入力回路に入力したときにバックアップ電力の供給を停止させる装置とされ、
前記第一のストレージ装置は、信号ケーブルを介して前記電源状態信号生成回路および前記制御信号入力回路に同じ信号ケーブルで接続され、該信号ケーブルを介して前記電源状態信号生成回路からバックアップ電力の供給を表す状態の信号を入力したとき、前記第二のストレージ装置の存在を問い合わせる情報を前記ネットワークに出力し、
前記第二のストレージ装置は、前記ネットワークから第二のストレージ装置の存在を問い合わせる情報を入力したとき、自らの存在を表す情報を前記ネットワークに出力し、
前記第一のストレージ装置は、前記ネットワークから第二のストレージ装置の存在を表す情報を入力したとき、該第二のストレージ装置に対するシャットダウンの指示を前記ネットワークに出力し、
前記第二のストレージ装置は、前記ネットワークからシャットダウンの指示を入力したとき、シャットダウンの処理の開始が表された処理開始情報を前記ネットワークに出力するとともに自らに対してシャットダウンの処理を行い、
前記第一のストレージ装置は、前記第二のストレージ装置に対するシャットダウンの指示を前記ネットワークに出力してから所定期間内に該ネットワークから前記処理開始情報を入力したときには前記信号ケーブルを介して前記制御信号入力回路にバックアップ電力の供給を停止させる信号を出力することにより自らに対してシャットダウンの処理を行った後に前記無停電電源装置に対してバックアップ電力の供給を停止させる一方、前記所定期間内に前記ネットワークから前記処理開始情報が入力されないときに再びバックアップ電力の被供給に対応した情報を前記ネットワークに出力する処理を所定の上限回数内で行い、該処理を前記上限回数行った後に前記所定期間内に前記ネットワークから前記処理開始情報が入力されないときには前記信号ケーブルを介して前記制御信号入力回路にバックアップ電力の供給を停止させる信号を出力せずに自らに対してシャットダウンの処理を行うことを特徴とするストレージ電源供給システム。
【請求項９】
ネットワークに少なくとも第一および第二のストレージ装置が接続され、該第一および第二のストレージ装置に少なくとも無停電電源装置からの電源が供給されるストレージ電源供給システムであって、
前記無停電電源装置は、商用電源の停電時にバックアップ電力を供給するバックアップ回路と、供給している電源の状態を表す信号を生成する電源状態信号生成回路とを備え、
前記第一のストレージ装置は、前記電源状態信号生成回路で生成される信号がバックアップ電力の供給を表す状態であるとき、バックアップ電力の被供給に対応した情報を生成するとともに自らに対してバックアップ電力が供給されている状態に対応した処理を行い、
前記第二のストレージ装置は、前記第一のストレージ装置でバックアップ電力の被供給に対応した情報が生成されたとき、自らに対してバックアップ電力が供給されている状態に対応した処理を行うことを特徴とするストレージ電源供給システム。
【請求項１０】
スレーブストレージ装置を接続したネットワークに接続され、供給している電源の状態を表す信号を生成する電源状態信号生成回路を有する無停電電源装置からの電源が供給されるストレージ装置であって、
前記電源状態信号生成回路で生成される信号がバックアップ電力の供給を表す状態であるとき、前記スレーブストレージ装置に対してバックアップ電力が供給されている状態に対応した処理を実行させるとともに自らに対してバックアップ電力が供給されている状態に対応した処理を行うことを特徴とするストレージ装置。
【請求項１１】
供給している電源の状態を表す信号を生成する電源状態信号生成回路を有する無停電電源装置からの電源が供給されるマスターストレージ装置を接続したネットワークに接続されるストレージ装置であって、
前記電源状態信号生成回路から前記第一のストレージ装置へバックアップ電力の供給を表す状態の信号が入力されたことに応じて、自らに対してバックアップ電力が供給されている状態に対応した処理を行うことを特徴とするストレージ装置。
【請求項１２】
スレーブストレージ装置を接続したネットワークに接続され、供給している電源の状態を表す信号を生成する電源状態信号生成回路を有する無停電電源装置からの電源が供給されるストレージ装置の制御方法であって、
前記電源状態信号生成回路で生成される信号がバックアップ電力の供給を表す状態であるとき、前記スレーブストレージ装置に対してバックアップ電力が供給されている状態に対応した処理を実行させるとともに自らに対してバックアップ電力が供給されている状態に対応した処理を行うことを特徴とするストレージ装置の制御方法。
【請求項１３】
供給している電源の状態を表す信号を生成する電源状態信号生成回路を有する無停電電源装置からの電源が供給されるマスターストレージ装置を接続したネットワークに接続されるストレージ装置の制御方法であって、
前記電源状態信号生成回路から前記第一のストレージ装置へバックアップ電力の供給を表す状態の信号が入力されたことに応じて、自らに対してバックアップ電力が供給されている状態に対応した処理を行うことを特徴とするストレージ装置の制御方法。
【請求項１４】
スレーブストレージ装置を接続したネットワークに接続され、供給している電源の状態を表す信号を生成する電源状態信号生成回路を有する無停電電源装置からの電源が供給されるストレージ装置の制御プログラムであって、
前記電源状態信号生成回路で生成される信号がバックアップ電力の供給を表す状態であるとき、前記スレーブストレージ装置に対してバックアップ電力が供給されている状態に対応した処理を実行させるとともに自らに対してバックアップ電力が供給されている状態に対応した処理を行う機能をコンピュータに実現させることを特徴とするストレージ装置の制御プログラム。
【請求項１５】
供給している電源の状態を表す信号を生成する電源状態信号生成回路を有する無停電電源装置からの電源が供給されるマスターストレージ装置を接続したネットワークに接続されるストレージ装置の制御プログラムであって、
前記電源状態信号生成回路から前記第一のストレージ装置へバックアップ電力の供給を表す状態の信号が入力されたことに応じて、自らに対してバックアップ電力が供給されている状態に対応した処理を行う機能をコンピュータに実現させることを特徴とするストレージ装置の制御プログラム。
【発明の詳細な説明】
【技術分野】
【０００１】
本発明は、ストレージ装置に無停電電源装置からの電源が供給されるストレージ電源供給システム、該ストレージ電源供給システムを構成するストレージ装置、並びに、その制御方法および制御プログラムに関する。
【背景技術】
【０００２】
ネットワーク接続ストレージ（Network Attached Storage、ＮＡＳ）を保護するため、無停電電源装置（Uninterrupted Power Supply、ＵＰＳ）からの電力をＮＡＳに供給することが行われている。商用電源の停電時に供給されるバックアップ電力の供給時間には限りがあるため、ＵＰＳとＮＡＳとをシリアル信号ケーブルで接続し、停電時に停電を表す信号をＵＰＳで生成し、この信号に基づいてＮＡＳをシャットダウン（shutdown）して保護するようにしている。
【０００３】
特許文献１には、無停電電源装置とそれから電源の供給を受ける機器間の通信を複数の同時通信の出来るインターフェイスを使用し、なおかつその通信を無停電電源装置とそれから電源の供給を受ける機器間をつなぐ電源ケーブルを利用して行うことが記載されている。
【特許文献１】特開２００５−２５３２４３号公報
【発明の開示】
【発明が解決しようとする課題】
【０００４】
停電を表す信号を送信するための信号ケーブルを接続するためのコネクタは、ＵＰＳに一つか、多くても二つしか設けられていない。このため、ネットワークに多くのＮＡＳを接続してＵＰＳからの電力をこれらのＮＡＳに供給する場合、停電を表す信号を停電時に入力することができないＮＡＳが生じ、停電時にＮＡＳをシャットダウンして保護することができない可能性がある。
特許文献１記載の技術では、ＵＰＳに電力線ネットワークインターフェイスを設ける必要があるため、ＵＰＳの回路が複雑になってしまい、汎用のＵＰＳを用いることができない。
【０００５】
本発明は、上記課題に鑑みてなされたもので、簡素なシステム構成にて、バックアップ電力が供給されている状態を無停電電源装置から直接知ることができないストレージ装置についても商用電源の停電時にバックアップ電力が供給されている状態に対応した処理を行うことを可能にさせることを目的とする。
【課題を解決するための手段】
【０００６】
上記目的を達成するため、本発明は、ネットワークに少なくとも第一および第二のストレージ装置が接続され、該第一および第二のストレージ装置に少なくとも無停電電源装置からの電源が供給されるストレージ電源供給システムであって、
前記無停電電源装置は、商用電源の停電時にバックアップ電力を供給するバックアップ回路と、供給している電源の状態を表す信号を生成する電源状態信号生成回路とを備え、
前記第一のストレージ装置は、前記電源状態信号生成回路に接続され、該電源状態信号生成回路で生成されるバックアップ電力の供給を表す状態の信号を入力したとき、自らに対してバックアップ電力が供給されている状態に対応した処理を行い、
前記第二のストレージ装置は、前記電源状態信号生成回路から前記第一のストレージ装置へバックアップ電力の供給を表す状態の信号が入力されたことに応じて、自らに対してバックアップ電力が供給されている状態に対応した処理を行うことを特徴とする。
【０００７】
また、本発明は、供給している電源の状態を表す信号を生成する電源状態信号生成回路を有する無停電電源装置からの電源が供給されるマスターストレージ装置（第一のストレージ装置）を接続したネットワークに接続されるストレージ装置（第二のストレージ装置）であって、
前記電源状態信号生成回路から前記第一のストレージ装置へバックアップ電力の供給を表す状態の信号が入力されたことに応じて、自らに対してバックアップ電力が供給されている状態に対応した処理を行うことを特徴とする。
【０００８】
上記第二のストレージ装置では、上記無停電電源装置の電源状態信号生成回路から上記第一のストレージ装置へバックアップ電力の供給を表す状態の信号が入力されたことに応じて、バックアップ電力が供給されている状態に対応した処理が行われる。
従って、バックアップ電力が供給されている状態を無停電電源装置から直接知ることができない第二のストレージ装置についても商用電源の停電時にバックアップ電力が供給されている状態に対応した処理を行うことができ、同停電時に第二のストレージ装置が保護される。その際、第一および第二のストレージ装置のみをネットワークに接続しておけば、これらのストレージ装置が保護されるので、簡素なシステム構成でストレージ装置が保護される。
【０００９】
さらに、前記第一のストレージ装置は、前記電源状態信号生成回路で生成される信号がバックアップ電力の供給を表す状態であるとき、バックアップ電力の被供給に対応した情報を生成するとともに自らに対してバックアップ電力が供給されている状態に対応した処理を行い、前記第二のストレージ装置は、前記第一のストレージ装置でバックアップ電力の被供給に対応した情報が生成されたとき、自らに対してバックアップ電力が供給されている状態に対応した処理を行ってもよい。
【００１０】
上記第一のストレージ装置では、上記無停電電源装置の電源状態信号生成回路で生成される信号がバックアップ電力の供給を表す状態であるとき、バックアップ電力の被供給に対応した情報が生成される。上記第二のストレージ装置では、上記第一のストレージ装置でバックアップ電力の被供給に対応した情報が生成されたとき、バックアップ電力が供給されている状態に対応した処理が行われる。従って、上述したような効果が得られる。
【００１１】
さらに、本発明は、スレーブストレージ装置（第二のストレージ装置）を接続したネットワークに接続され、供給している電源の状態を表す信号を生成する電源状態信号生成回路を有する無停電電源装置からの電源が供給されるストレージ装置（第一のストレージ装置）であって、
前記電源状態信号生成回路で生成される信号がバックアップ電力の供給を表す状態であるとき、前記スレーブストレージ装置に対してバックアップ電力が供給されている状態に対応した処理を実行させるとともに自らに対してバックアップ電力が供給されている状態に対応した処理を行うことを特徴とする。
【００１２】
上記第一のストレージ装置では、上記無停電電源装置の電源状態信号生成回路で生成される信号がバックアップ電力の供給を表す状態であるとき、上記第二のストレージ装置に対してバックアップ電力が供給されている状態に対応した処理を実行させる。すると、上記第二のストレージ装置では、上記電源状態信号生成回路で生成される信号がバックアップ電力の供給を表す状態であるとき、バックアップ電力が供給されている状態に対応した処理が行われる。従って、上述したような効果が得られる。
【００１３】
上記ネットワークには、Ethernet（登録商標）等のＬＡＮ（Local Area Network）、等を適用することができる。
上記無停電電源装置が供給している電源の状態を表す信号には、バックアップ電力を供給していることを表す信号、バックアップ電力を供給していないことを表す信号、バックアップ電力を供給しているか否かを表す信号、商用電源を供給していることを表す信号、商用電源を供給していないことを表す信号、商用電源を供給しているか否かを表す信号、バックアップ電力を供給可能な残り時間を表す信号、等が含まれる。また、バックアップ電力の供給を表す状態には、バックアップ電力を供給していることを表す状態、商用電源を供給していないことを表す状態、バックアップ電力が減少していることを表す状態、等が含まれる。
バックアップ電力が供給されている状態に対応した処理には、例えば、シャットダウンの処理などを適用することができる。
【００１４】
上記電源状態信号生成回路から上記第一のストレージ装置へバックアップ電力の供給を表す状態の信号が入力されたことに応じて処理を行うことには、上記第一のストレージ装置がバックアップ電力の供給を表す状態の信号を入力したときにバックアップ電力の被供給に対応した情報や信号を上記第二のストレージ装置に出力して該情報や該信号を入力した第二のストレージ装置がシャットダウン等の対応処理を行うこと、上記第二のストレージ装置からの問い合わせに応じて上記第一のストレージ装置がバックアップ電力の供給を表す状態の信号を入力したときにバックアップ電力の被供給に対応した情報や信号を生成して該情報や該信号を読み込んだ第二のストレージ装置がシャットダウン等の対応処理を行うこと、等が含まれる。
バックアップ電力の被供給に対応した情報（信号を含む）には、バックアップ電力が供給されていることを表す情報、バックアップ電力が減少していることを表す情報、等が含まれ、例えば、シャットダウンの指示を表す情報などを適用することができる。
【００１５】
なお、本発明は、上述したシステムや装置の構成に対応した工程を有する制御方法、上述したシステムや装置の構成に対応した機能をコンピュータに実現させるプログラム、該プログラムを記録したコンピュータ読み取り可能な記録媒体、等としても適用可能である。
上述した制御方法、制御プログラム、該プログラムを記録した媒体、の発明も、上述した作用、効果を奏する。むろん、請求項２〜請求項８に記載した構成も、前記装置や前記システムや前記方法や前記プログラムや前記記録媒体に適用可能である。
【発明の効果】
【００１６】
請求項１、請求項９に係る発明によれば、簡素なシステム構成にて、バックアップ電力が供給されている状態を無停電電源装置から直接知ることができない第二のストレージ装置についても商用電源の停電時にバックアップ電力が供給されている状態に対応した処理を行うことが可能になり、商用電源の停電時に第二のストレージ装置を保護することが可能になる。
請求項２に係る発明では、第二のストレージ装置についてバックアップ電力が供給されている状態に対応した処理を行うことが容易になる。
請求項３に係る発明では、バックアップ電力の供給を表す状態の信号を無停電電源装置から直接入力することができない第二のストレージ装置についても商用電源の停電時にシャットダウンの処理を行うことができ、同停電時に第二のストレージ装置を保護することができる。
【００１７】
請求項４に係る発明では、ネットワークに接続された第二のストレージ装置の存在が確認された後に第一のストレージ装置でバックアップ電力が供給されている状態に対応した処理が行われるので、より確実に第二のストレージ装置を保護することができる。
請求項５に係る発明では、第二のストレージ装置が応答しない場合でも第一のストレージ装置でバックアップ電力が供給されている状態に対応した処理が確実に行われるので、より確実に第一のストレージ装置を保護することができる。
請求項６に係る発明では、ストレージ装置を保護しながら無停電電源装置のバックアップ電力の供給源を保護することができる。
【００１８】
請求項７に係る発明では、第二のストレージ装置が応答しない場合には無停電電源装置のバックアップ電力の供給が停止されないので、より確実に第二のストレージ装置を保護することができる。
請求項８に係る発明では、バックアップ電力が供給されている状態を無停電電源装置から直接入力することができない第二のストレージ装置についても商用電源の停電時にシャットダウンの処理を適切に行うことが可能になり、同停電時に第二のストレージ装置を適切に保護することが可能になる。
請求項１０、請求項１２、請求項１４に係る発明では、簡素なシステム構成で、無停電電源装置からバックアップ電力が供給されている状態を直接知ることができないスレーブストレージ装置についてもバックアップ電力が供給されている状態に対応した処理を行うことができ、商用電源の停電時にスレーブストレージ装置を保護することができる。
請求項１１、請求項１３、請求項１５に係る発明では、簡素なシステム構成で、無停電電源装置からバックアップ電力が供給されている状態を直接知ることができなくてもバックアップ電力が供給されている状態に対応した処理を行うことが可能になり、商用電源の停電時にストレージ装置を保護することが可能になる。
【発明を実施するための最良の形態】
【００１９】
以下、（１）ストレージ電源供給システムの構成、（２）ストレージ電源供給システムの動作および作用、（３）その他の変形例、の順に、本発明の実施形態を説明する。
【００２０】
（１）ストレージ装置を含むストレージ電源供給システムの構成：
図１は、本発明の一実施形態に係るストレージ電源供給システム１０００の構成を示している。本システム１０００は、情報を双方向に通信可能な内部ネットワークＮ１を介してそれぞれ接続された、マスターＮＡＳ（マスターストレージ装置、第一のストレージ装置）２００、スレーブＮＡＳ（スレーブストレージ装置、第二のストレージ装置）３００を少なくとも備えるとともに、ＮＡＳ２００，３００に少なくとも電源を供給するＵＰＳ（無停電電源装置）１００を備えている。内部ネットワークの代表例は、Ethernet（登録商標）等のＬＡＮである。内部ネットワークは、有線ＬＡＮのような有線のネットワークでもよいし、無線ＬＡＮのような無線のネットワークでもよい。むろん、同じＵＰＳからの電源をＮＡＳに供給することができれば、内部ネットワークは、ＷＡＮ（Wide Area Network）、インターネット（Internet）、等でもよい。本実施形態では、ネットワークＮ１がＬＡＮであるとして説明する。
内部ネットワークには、ＮＡＳ２００，３００のみ接続されてもよいし、パーソナルコンピュータ（ＰＣ）４００、携帯電話、ＰＤＡ（Personal Digital Assistant）、ゲーム機、等が接続されてもよい。
本実施形態のスレーブＮＡＳ３００は２台設けられているが、スレーブＮＡＳは、１台のみ設けられてもよいし、複数設けられてもよい。また、マスターＮＡＳは、１台のみ設けられる以外にも、複数設けられてもよい。ＵＰＳ１００の電源供給対象は、ＮＡＳ２００，３００のみでもよいし、本実施形態のようにＰＣ４００等が含まれてもよい。
【００２１】
ネットワークＮ１は、ルータ（router）９０２とモデム（modem）９０４を介してインターネット等の外部ネットワークＮ２に接続されている。ルータ９０２は、内部ネットワークＮ１内を流れるデータと外部ネットワークＮ２内を流れるデータとをプロトコル変換して中継する機器である。ルータ９０２は、例えば、内部ネットワークＮ１と物理的に接続されるＬＡＮアダプタ回路、このＬＡＮアダプタ回路とモデムとの間でデータの送受を実現する回路、データの送受やＮＡＳ２００，３００等にＩＰ（Internet Protocol）アドレスを付与する処理等を制御するためのＣＰＵやＲＯＭやＲＡＭやタイマ回路、等を備えている。モデム９０４は、ルータ９０２から送られてくるデジタルデータを電話回線用の信号（光ファイバー通信用の信号を含む）に変換して該信号を外部ネットワークＮ２に送信したり、外部ネットワークＮ２から送られてくる信号をデジタルデータに変換してルータ９０２に対して出力したりする、変復調装置である。
以上により、内部ネットワークに接続されたＰＣ４００等から外部ネットワークＮ２を経由したデータの送受信を行ったり、外部ネットワークＮ２に接続されるＰＣや携帯電話等から内部ネットワークに接続されたＮＡＳ等にアクセスしたりすることが可能とされる。
【００２２】
本実施形態のＵＰＳ１００は、停電を表す信号を送信する信号線を有する信号ケーブル１８０を接続するためのコネクタが一つしか設けられていない。そこで、マスターＮＡＳ２００とＵＰＳ１００とを信号ケーブルで接続し、スレーブＮＡＳ３００とＵＰＳ１００とは信号ケーブルで接続していない。スレーブＮＡＳ３００では、ＵＰＳ１００からマスターＮＡＳ２００へ停電を表す信号が入力されたことに応じて、自らに対してシャットダウンの処理を行うようにしている。
【００２３】
ＵＰＳ１００は、互いに接続された制御部１２０、電源供給回路１４０、通信回路１６０、等を備え、ＮＡＳ２００，３００やＰＣ４００に電源供給回路１４０からの電力を供給するとともに、信号ケーブル１８０の信号線を介してマスターＮＡＳ２００との間で信号を送受信することが可能とされている。制御部１２０では、ＣＰＵ１２０ａ、半導体メモリ１２０ｂ，ｃ、タイマ回路１２０ｄ、等が所定のシステムバス１２１に接続され、互いに情報を入出力可能とされている。ＣＰＵ１２０ａは、ＲＯＭ１２０ｂに書き込まれたプログラムを実行する処理を行い、ＵＰＳ全体の動作を制御している。
【００２４】
図２はＵＰＳ１００の構成の例が模式的に示され、図３はＵＰＳの電源状態信号生成回路１６２およびマスターＮＡＳの信号入力回路２２２の回路図の例が示され、図４はＵＰＳの制御信号入力回路１６４およびマスターＮＡＳの信号出力回路２２４の回路図の例が示されている。むろん、ＵＰＳのハードウェア構成は、同図に示す構成に限定されない。
図２では常時インバータ給電方式のＵＰＳが示されているが、本発明を適用可能なＵＰＳは、ラインインタラクティブ方式のＵＰＳ、常時商用給電方式のＵＰＳ、等でもよい。ＵＰＳ１００には、制御部１２０を構成する各部１２２，１２４、電源供給回路１４０を構成する各部１４１〜１４９，１５１〜１５５、通信回路１６０を構成する各部１６２，１６４，１６６、等が設けられている。商用電源の停電時にバックアップ電力を供給するバックアップ回路１５０は、電源供給回路に含まれる各部１５１〜１５５で構成される。電源状態信号生成回路１６２は、ＵＰＳが供給している電源の状態を表す電源状態信号（ＢＵ信号）を生成する。ＢＵ信号は、図３に示すように、バックアップ電力を供給していない通常運転時にハイ（High、Ｈ）レベルとなり、バックアップ電力を供給しているとき（停電時）にロー（Low、Ｌ）レベルとなる負論理の信号とされている。従って、ＬレベルのＢＵ信号は、バックアップ電力の供給を表す状態の信号（停電を表す信号）となる。本ＵＰＳはインバータによる電力出力を基本としながら起動時や電力容量超過時に商用電源をそのまま使用するため、通常運転時にはインバータによる電力出力時と商用電源の出力時とが含まれる。なお、ＢＵ信号は、正論理の信号でもよいし、通常運転時に導通状態となってバックアップ電力供給時に電流の流れないオープン状態となる信号でもよいし、この信号とは導通状態とオープン状態とが逆の信号でもよい。
【００２５】
ＵＰＳが供給している電源の状態を表す信号には、バックアップ電力を供給しているか否かを表すＢＵ信号の他、バックアップ電力を供給していることのみを表す信号（Ａ１信号とする）、バックアップ電力を供給していないことのみを表す信号（Ａ２信号とする）、商用電源を供給していることのみを表す信号（Ａ３信号とする）、商用電源を供給していないことのみを表す信号（Ａ４信号とする）、商用電源を供給しているか否かを表す信号（Ａ５信号とする）、バックアップ電力を供給可能な残り時間を表す信号（Ａ６信号とする）、等が含まれる。Ａ１〜Ａ６信号のバックアップ電力の供給を表す状態は、それぞれ、ＵＰＳがＡ１信号を生成している状態、ＵＰＳがＡ２信号を生成していない状態、ＵＰＳがＡ３信号を生成していない状態、ＵＰＳがＡ４信号を生成している状態、ＵＰＳが商用電源を供給していないことを表す状態、ＵＰＳのバックアップ電力が減少していることを表す状態とすることができる。
【００２６】
制御信号入力回路１６４は、ＵＰＳ自らの動作を制御するための制御信号（ＢＳ）信号を入力可能である。ＵＰＳ１００は、バックアップ電力の供給を停止させるＢＳ信号を制御信号入力回路１６４に入力したとき、バックアップ電力の供給を停止させる。ＢＳ信号は、図４に示すように、バックアップ電力の供給を停止させるときにロー（Ｌ）レベルとし、それ以外のときにハイ（Ｈ）レベルとする負論理の信号とされている。ＬレベルのＢＳ信号は、ＵＰＳをシャットダウンさせる指示を表す信号ともいえる。なお、ＢＳ信号は、正論理の信号でもよいし、バックアップ電力の供給を停止させるときにオープン状態としてそれ以外のときに導通状態とする信号でもよいし、この信号とは導通状態とオープン状態とが逆の信号でもよい。
【００２７】
図２に示すＵＰＳでは、起動時や電力容量超過時、切替スイッチ１４８が商用電源側とされ、ＡＣ１００Ｖを電源入力端子等の電源入力部１４１に入力し、ヒューズ等の過電流保護回路１４２、電源リレー１４３、スイッチ１４８、電源出力端子等の電源出力部１４９を経て、ＮＡＳ２００，３００等の外部機器に電源を供給する。インバータによる電力出力時、スイッチ１４８がインバータ側とされ、ＡＣ１００Ｖを電源入力部１４１に入力し、過電流保護回路１４２、電源リレー１４３、ノイズフィルタ１４４、整流回路１４５、インバータ１４６、フィルタ１４７、スイッチ１４８、電源出力部１４９を経て、ＮＡＳ２００，３００等の外部機器に電源を供給する。このとき、ノイズフィルタ１４４から、充電回路１５１、ダイオード１５２を経て、蓄電池であるバッテリ１５３が充電される。バックアップ電力供給時、スイッチ１４８がインバータ側とされ、バッテリ１５３、昇圧コンバータ１５４、ダイオード１５５、インバータ１４６、フィルタ１４７、スイッチ１４８、電源出力部１４９を経て、ＮＡＳ２００，３００等の外部機器に電源を供給する。
【００２８】
バッテリ１５３によるバックアップ電力の供給時間には限りがあるため、ＵＰＳ１００に、図３に示す電源状態信号生成回路１６２や、図４に示す制御信号入力回路１６４が設けられている。電源状態信号生成回路１６２は、制御回路１２２に接続され、該制御回路の制御によりＢＵ信号を生成して出力する。制御信号入力回路１６４は、制御回路１２２に接続され、ＢＳ信号を入力して制御回路１２２に対して出力する。制御回路１２２は、ＢＳ信号がＬ（バックアップ電力の供給停止指示）となったときにバックアップ電力の供給を停止させる処理（例えばスイッチ１４８を商用電源側に切り替える処理）を行う。
ここで、電源状態信号生成回路１６２の出力部や制御信号入力回路１６４の入力部は汎用のシリアル通信用のコネクタ１６６とされ、マスターＮＡＳの信号入力回路２２２の入力部や信号出力回路２２４の出力部も汎用のシリアル通信用のコネクタ２２６とされている。そして、両コネクタ１６６，２２６が汎用のシリアル通信用のシリアル信号ケーブル１８０で接続され、ＵＰＳで生成されるＢＵ信号に基づいて停電時にマスターＮＡＳがシャットダウンされて保護されるようにされている。すなわち、マスターＮＡＳ２００は、信号ケーブル１８０を介して電源状態信号生成回路１６２および制御信号入力回路１６４に同じ信号ケーブル１８０で接続されている。
上記シリアル信号ケーブルには、ＵＳＢ（Universal Serial Bus）規格の信号ケーブル、ＲＳ−２３２Ｃ規格の信号ケーブル、等を用いることができる。むろん、上記シリアル通信用のコネクタには、ＵＳＢ規格のコネクタ、ＲＳ−２３２Ｃ規格のコネクタ、等を用いることができる。なお、信号ケーブルを流れる信号は、ＨレベルかＬレベルかの接点方式の信号でもよい。
【００２９】
図２に示すように、本実施形態のマスターＮＡＳ２００は、制御部２１０（図５の２１１〜２１４）、通信回路２２０、ＬＡＮ用通信回路２３０、記憶部２４０、等を備えている。スレーブＮＡＳ３００は、制御部３１０（図５の３１１〜３１４）、ＬＡＮ用通信回路３３０、記憶部３４０、等を備えている。ＰＣ４００は、制御部４１０（図５の４１１〜４１４）、ＬＡＮ用通信回路４５０、等を備えている。これらの機器２００，３００，４００は、ＬＡＮ用通信回路２３０，３３０，４５０を介して互いにデータを送受信可能とされている。
【００３０】
図５は、ＮＡＳ２００，３００のハードウェア構成の例をＵＰＳとともにブロック図により示している。ＮＡＳ２００，３００の電源コード２０１，３０１はＵＰＳの電源供給回路１４０に接続されており、ＮＡＳ２００，３００は、該電源供給回路１４０から電源の供給を受けて動作する。マスターＮＡＳ２００では、ＣＰＵ２１１、半導体メモリ２１２，２１３、タイマ回路２１４、通信回路２２０、ＬＡＮ用通信回路２３０、記憶部２４０、出力装置２５０、等が、所定のシステムバス２６０に接続され、互いに情報を入出力可能とされている。スレーブＮＡＳ３００では、ＣＰＵ３１１、半導体メモリ３１２，３１３、タイマ回路３１４、通信回路３２０、ＬＡＮ用通信回路３３０、記憶部３４０、出力装置３５０、等が、所定のシステムバス３６０に接続され、互いに情報を入出力可能とされている。なお、ハードウェア上は通信回路２２０がスレーブＮＡＳに設けられていてもよく、この場合には該通信回路に信号ケーブル１８０が接続されないことになる。出力装置２５０，３５０は、設けられなくてもよいが、液晶表示器等の表示器２５１，３５１、ビープ音を出力する音声出力器２５２，３５２、等が用いられる。ＣＰＵ２１１，３１１は、ＲＯＭ２１２，３１２に書き込まれたプログラムに従って、適宜、ストレージ装置の制御プログラムや各種情報を記憶部２４０，３４０からＲＡＭ２１３，３１３へ読み出して制御プログラムを実行する処理を行い、ＮＡＳ全体の動作を制御している。
【００３１】
ＮＡＳ２００，３００内では、例えばタイマ回路２１４，３１４によるタイマ割り込みを利用した時分割方式で後述する処理が並列して行われる。ＬＡＮ用通信回路２３０，３３０は、ネットワークＮ１に接続され、例えばＴＣＰ／ＩＰによってネットワークＮ１を介して双方向通信を行うことが可能である。本実施形態では、商用電源の停電時にＴＣＰ／ＩＰとは異なる専用のプロトコルでＮＡＳ２００，３００間のデータ送受信を行うものとする。なお、専用のプロトコルでＮＡＳ間のデータ送受信を行う際には、データの漏洩やいたずらを防ぐため、操作入力されたパスワードを用いて所定の暗号化処理によりデータを暗号化して送信し、受信した暗号化データを所定の解読処理により元のデータに戻すようにしてもよい。記憶部２４０，３４０は、ハードディスク等の情報記憶媒体や該情報記憶媒体に情報を読み書きするハードディスクドライブ等のドライブを有し、この情報記憶媒体に、各種制御プログラムや各種情報が記憶される。これらの情報を記憶する情報記憶媒体には、ハードディスク等の磁気記憶媒体、ＣＤ−ＲＯＭ、不揮発性半導体メモリ、電力をバックアップされた揮発性半導体メモリ、等を用いることができる。
【００３２】
図６は、ＰＣ４００のハードウェア構成の例をＵＰＳとともにブロック図により示している。ＰＣ４００の電源コード４０１はＵＰＳの電源供給回路１４０に接続されており、ＰＣ４００は、該電源供給回路１４０から電源の供給を受けて動作する。ＰＣ４００では、ＣＰＵ４１１、半導体メモリ４１２，４１３、タイマ回路４１４、入力装置４２０、出力装置４３０、記憶部４４０、ＬＡＮ用通信回路４５０、等が、所定のシステムバス４６０に接続され、互いに情報を入出力可能とされている。ＣＰＵ４１１は、ＲＯＭ４１２に書き込まれた制御プログラムに従って、適宜、オペレーティングシステム（ＯＳ）４４１およびブラウザ（browser）等のアプリケーションプログラム（ＡＰＬ）４４２並びに各種情報を記憶部４４０からＲＡＭ４１３へ読み出して制御プログラムを実行する処理を行い、ＰＣ全体の動作を制御している。
【００３３】
ＰＣ４００内では、例えばタイマ回路４１４によるタイマ割り込みを利用した時分割方式で後述する処理が並列して行われる。ＬＡＮ用通信装置４５０は、ネットワークＮ１に接続され、例えばＴＣＰ／ＩＰによってネットワークＮ１を介して双方向通信を行うことが可能である。入力装置４２０は、マウス等のポインティングデバイス４２１やキーボード４２２を操作用入力機器として有し、利用者からの操作入力を受け付ける。出力装置４３０は、ディスプレイ等の表示装置４３１や音声出力器等の音声出力装置４３２を情報出力機器として有し、利用者に情報を表示や音声出力により出力する。むろん、ＰＣにプリンタ等の印刷装置を接続し、この印刷装置で情報を印刷することにより、情報を出力するようにしてもよい。記憶部４４０は、ハードディスク等の情報記憶媒体や該情報記憶媒体に情報を読み書きするハードディスクドライブ等のドライブを有し、この情報記憶媒体に、ＯＳ２３１やＡＰＬ２３２や各種情報が記憶される。これらの情報を記憶する情報記憶媒体には、ハードディスク等の磁気記憶媒体、ＣＤ−ＲＯＭ、不揮発性半導体メモリ、電力をバックアップされた揮発性半導体メモリ、等を用いることができる。
【００３４】
（２）ストレージ装置を含むストレージ電源供給システムの動作および作用：
図７は、ＰＣ４００が行う設定処理の例を示している。本処理は本発明を実施するうえで必須ではないが、本処理が行われることにより、ＮＡＳをマスターＮＡＳにするのかスレーブＮＡＳにするのかがＰＣへの入力により容易に設定される。
ＰＣが本設定処理を開始すると、まず、ＬＡＮ（内部ネットワークＮ１）に接続されたＮＡＳを検索する（ステップＳ１０２。以下、「ステップ」の記載を省略）。例えば、ＬＡＮに接続された機器の存在を問い合わせる情報をＬＡＮにブロードキャスト（broadcast）送信し、該問い合わせ情報に応答した機器の名称を受信する。なお、ブロードキャスト送信は、例えば、ＬＡＮに接続されたすべての機器にデータを送信するために使われる特殊なブロードキャストアドレス（broadcast address）を用い、このブロードキャストアドレスに問い合わせを意味する情報を送信する処理を行うことにより、行われる。
【００３５】
次に、検索結果に基づいて、図８に示すメイン画面４９１をディスプレイに表示する（Ｓ１０４）。同画面４９１には、メニュー選択領域４９１ａ〜ｄ、検索された機器を選択するための機器選択領域４９１ｅ、選択された機器に関する情報を表示する機器情報表示領域４９１ｆ、操作ボタン４９１ｇ，ｈ、等が設けられている。機器選択領域４９１ｅでは、検索された機器の名称がタブ形式で表示される。本実施形態では、ＬＡＮにマスターＮＡＳ１台とスレーブＮＡＳ２台が接続されているため、３台のＮＡＳの名称が表示される。同領域４９１ｅに表示される名称タブのいずれか一つがポインティングデバイス等で選択操作されると、選択された名称の機器に関する情報が機器情報表示領域４９１ｆに表示される。表示される情報には、機器の名称、機器に設定されたグループ、機器に設定されたＩＰアドレス（ネットワークアドレス）、機器に設定されたネットマスク、機器に設定されたファーム、等がある。メニュー選択領域４９１ａ〜ｄでは、いずれか一つのメニュー選択領域が選択操作されると、選択されたメニュー選択領域のサブメニューが表示される。例えば、「設定」領域４９１ｂが選択操作されると、図示のメニュー４９１ｂ１，４９１ｂ２等のサブメニューが一覧表示される。
【００３６】
機器選択領域４９１ｅの名称タブが適宜選択操作され、メニュー選択領域４９１ａ〜ｄのサブメニューのいずれか一つが選択操作されるか、ボタン４９１ｇ，ｈのいずれか一つが操作されると、ＰＣの利用者から操作入力を受け付けたことになる（Ｓ１０６）。ここで、本実施形態では、処理を開始してから初めてメニュー選択領域のサブメニューの選択操作を受け付ける場合にユーザ名とパスワードの確認をするログイン処理を行うことにしている。そこで、ログイン済か否かを判断し（Ｓ１０８）、ログイン済でない場合には正しいユーザ名とパスワードの操作入力をキーボード等から受け付けた（Ｓ１１０）ときのみＳ１１２以降の処理を行う一方で正しいユーザ名をパスワードが操作入力されなかった場合には処理を終了することにしている。なお、Ｓ１０８の処理は、例えば、ユーザ名とパスワードを格納する領域をＲＡＭ内に設け、この領域にユーザ名とパスワードが格納されているか否かを判断することにより、行うことができる。また、Ｓ１１０の処理は、例えば、ＰＣを使用する利用者のユーザ名およびパスワードを予め記憶部４４０に記憶しておき、ユーザ名とパスワードを操作入力させる入力欄を有する画面を表示し、記憶されているユーザ名およびパスワードと同じユーザ名およびパスワードが入力欄に操作入力されたとき、Ｓ１１２に進むようにすることにより、行うことができる。
【００３７】
Ｓ１１２では、「ＩＰアドレスの設定」メニューが選択操作されたか否かを判断し、条件成立時にはＳ１１４〜Ｓ１１６の処理を行ってＳ１０４に戻り、条件不成立時にはＳ１１８に進む。Ｓ１１４では、図９に示すネットワークアドレス設定画面４９２を表示する。同画面４９２には、ＩＰアドレスを自動的に取得するか否かを選択するためのチェックボックス４９２ａ、ＩＰアドレス入力欄４９２ｂ、サブネットマスク入力欄４９２ｃ、管理者用パスワード入力欄４９２ｄ、各種操作ボタン４９２ｅ，ｆ、等が設けられている。チェックボックス４９２ａがチェックされる操作が行われると、機器選択領域４９１ｅで選択されたＮＡＳ等の機器に対してルータ９０２からＩＰアドレスが自動的に付与され、該機器は付与されたＩＰアドレスを記憶部に記憶する。Ｓ１１６では、選択されたＮＡＳ等の機器に設定するＩＰアドレスの操作入力をキーボード等から受け付ける。ＩＰアドレス入力欄４９２ｂにネットワークアドレスが操作入力されると、選択されたＮＡＳ等の機器に対して同入力欄４９２ｂに操作入力されたＩＰアドレスを設定し、該機器は設定されたＩＰアドレスを記憶部に記憶する。ＯＫボタン４９２ｅが操作されると、Ｓ１０４に戻る。
【００３８】
Ｓ１１８では、「ＵＰＳ連動機能設定」メニューが選択操作されたか否かを判断し、条件成立時にはＳ１２０〜Ｓ１２２の処理を行ってＳ１０４に戻る。Ｓ１２０では、図１０に示すＵＰＳ連動機能設定画面４９３を表示する。同画面４９３には、機器選択領域４９１ｅで選択されたＮＡＳ等の機器をマスター機器として使用するのかスレーブ機器として使用するのか使用しないのかを選択するための機能選択欄４９３ａ、同機器に対して停電時にシャットダウンするのかバッテリーローを検出した時にシャットダウンするのかを選択するためのシャットダウン方式選択欄４９３ｂ、同機器のシャットダウン後にＵＰＳの電力供給を停止させるのか停止させないのかを選択するためのＵＰＳ動作選択欄４９３ｃ、各種ボタン４９３ｆ，ｇ、等が設けられているとともに、機能選択欄４９３ａで「マスターとして使用」が選択された場合にはスレーブ機器へのシャットダウン指示の再送信をする時間の間隔ｔ１の操作入力を受け付けるための期間入力欄４９３ｄ、シャットダウン指示の再送信の上限回数ｎ１の操作入力を受け付けるための回数入力欄４９３ｅ、も設けられる。Ｓ１２２では、選択されたＮＡＳ等の機器に設定する内容の操作入力を領域４９３ａ〜ｅにて受け付ける。機器選択領域４９１ｅで選択された機器がＮＡＳ２００，３００であれば、ＵＰＳ連動機能設定画面ではＮＡＳ２００，３００に対する設定入力を受け付けることになる。そして、機器選択領域４９１ｅで選択された機器に対して同領域４９３ａ〜ｅで操作入力を受け付けた内容を設定し、該機器は設定された内容を記憶部に記憶する。ＯＫボタン４９３ｆが操作されると、Ｓ１０４に戻る。
【００３９】
他のサブメニューが選択された場合の処理も、同様にして行われる。そして、Ｓ１２４では、メイン画面の終了ボタン４９１ｇが操作されたか否かを判断する等して本設定処理を終了するか否かを判断し、終了しない場合にはＳ１０４に戻り、終了する場合には設定処理を終了する。
【００４０】
図１１は、上記機能選択欄４９３ａで「マスターとして使用」が選択されたＮＡＳ（マスターＮＡＳ２００）と上記機能選択欄４９３ａで「スレーブとして使用」が選択されたＮＡＳ（スレーブＮＡＳ３００）とで行われる停止処理の例を示している。マスターＮＡＳの停止処理は、信号ケーブル１８０を介してＵＰＳの電源状態信号生成回路１６２からバックアップ電力の供給を表すＬレベルのＢＵ信号を入力したとき、開始される。そして、マスターＮＡＳは、ＢＵ信号がＬレベル（バックアップ電力の供給を表す状態）であるとき、スレーブＮＡＳに対してシャットダウンの処理を実行させるとともに自らに対してシャットダウンの処理を行う。一方、スレーブＮＡＳの停止処理は、ＬＡＮを介してマスターＮＡＳから停止処理を行う際の問い合わせ情報を受信したとき、開始される。そして、スレーブＮＡＳは、電源状態信号生成回路１６２からマスターＮＡＳへＬレベルのＢＵ信号が入力されたことに応じて、自らに対してシャットダウンの処理を行う。なお、マスターＮＡＳの信号出力回路２２４は、ＨレベルのＢＳ信号を生成して出力しているものとする。
【００４１】
ＵＰＳの電源状態信号生成回路１６２で生成されるＢＵ信号がＨレベルからＬレベルに切り替わると、マスターＮＡＳの信号入力回路２２２はＬレベルのＢＵ信号を入力する。マスターＮＡＳは、ＵＰＳからＬレベルのＢＵ信号を入力すると、バックアップ電力の供給を表すバックアップ信号を入力した旨を外部に出力する（Ｓ２０２）。例えば、停電中である旨を表示器２５１に表示したり、停電を意味するビープ音を音声出力器２５２から出力したりすればよい。Ｓ２０２は、省略可能である。
Ｓ２０４では、停止処理を行う際にスレーブＮＡＳの存在を問い合わせる旨の情報をＬＡＮに対して出力する。例えば、図１０に示すＵＰＳ連動機能設定画面でスレーブＮＡＳとされた各ＮＡＳに対してＬＡＮを介して停止処理を行う際の問い合わせ情報を送信する処理を行えばよい。スレーブＮＡＳに対して問い合わせ情報を送信する際には、スレーブＮＡＳのＩＰアドレスを指定して問い合わせ情報をＬＡＮに対して出力すればよい。以下も、同様である。
【００４２】
送信先とされたスレーブＮＡＳ３００では、ＬＡＮからスレーブＮＡＳの存在を問い合わせる情報を入力したとき、停止処理を開始し、自らの存在を表す存在情報をＬＡＮに対して出力する（Ｓ２２２）。例えば、問い合わせ情報の入力先であるＮＡＳに対して自らの名称を存在情報として送信する処理を行えばよい。マスターＮＡＳに対して存在情報を送信する際には、マスターＮＡＳのＩＰアドレスを指定して存在情報をＬＡＮに対して出力すればよい。以下も、同様である。
マスターＮＡＳでは、上記スレーブＮＡＳの存在を表す存在情報をＬＡＮから入力し、該スレーブＮＡＳから該存在情報を受信する（Ｓ２０６）。マスターＮＡＳは、この存在情報を入力したとき、同スレーブＮＡＳに対するシャットダウンの指示（バックアップ電力の被供給に対応した情報）をＬＡＮに対して出力し、該指示を表す情報を同スレーブＮＡＳに送信する（Ｓ２０８）。
【００４３】
送信先とされたスレーブＮＡＳ３００では、シャットダウンの指示をＬＡＮから入力し、マスターＮＡＳからシャットダウンの指示を受信する（Ｓ２２４）。同スレーブＮＡＳは、シャットダウンの指示を入力したとき、シャットダウンの処理の開始が表された処理開始情報をＬＡＮに対して出力し、該処理開始情報をマスターＮＡＳに送信する（Ｓ２２６）。マスターＮＡＳでは、前記処理開始情報をＬＡＮから入力し、前記スレーブＮＡＳから該処理開始情報を受信する（Ｓ２１０）。
【００４４】
また、上記スレーブＮＡＳでは、自らに対してシャットダウンの処理（バックアップ電力が供給されている状態に対応した処理）を行う（Ｓ２２８）。このシャットダウンの処理は、ＮＡＳのオペレーティングシステムを終了させてハードディスクのヘッド等の記憶部を保護する処理をいい、マスターＮＡＳの場合も同様である。
以上により、スレーブＮＡＳは、シャットダウンの指示を入力したとき、自らに対してシャットダウンの処理を行う。この処理が終了すると、同スレーブＮＡＳは、シャットダウンの処理の終了が表された処理終了情報をＬＡＮに対して出力し、該処理終了情報をマスターＮＡＳに送信する（Ｓ２３０）。そして、同スレーブＮＡＳは、シャットダウンの処理を終了した旨を外部に出力し（Ｓ２３２）、停止処理を終了する。例えば、シャットダウン終了の旨を表示器３５１に表示したり、シャットダウン終了を意味するビープ音を音声出力器３５２から出力したりすればよい。Ｓ２３２は、省略可能である。なお、停止処理の終了後、スレーブＮＡＳの電源が自動的に切られてもよい。
以上の処理により、スレーブＮＡＳは、マスターＮＡＳでバックアップ電力の被供給に対応した情報が生成されたとき、自らに対してシャットダウンの処理を行う。
【００４５】
マスターＮＡＳでは、上記処理終了情報をＬＡＮから入力し、上記スレーブＮＡＳから該処理終了情報を受信する（Ｓ２１２）。次に、マスターＮＡＳは、自らに対してシャットダウンの処理（バックアップ電力が供給されている状態に対応した処理）を行う（Ｓ２１４）。
以上により、マスターＮＡＳは、シャットダウンの指示を入力したとき、自らに対してシャットダウンの処理を行う。この処理が終了すると、マスターＮＡＳは、ＵＰＳの制御信号入力回路１６４に対してＵＰＳのシャットダウンを指示するＬレベルのＢＳ信号（バックアップ電力の供給を停止させる信号）を出力することにより、ＵＰＳ１００に対してバックアップ電力の供給を停止させ（Ｓ２１６）、停止処理を終了する。なお、停止処理の終了後、マスターＮＡＳの電源が自動的に切られてもよい。
ＵＰＳ１００では、ＢＳ信号がＨレベルからＬレベルに切り替わると、ＬレベルのＢＳ信号が信号ケーブル１８０を介して制御信号入力回路１６４に入力される。
【００４６】
図１２は、ＵＰＳ１００が繰り返し行っているシャットダウン指示対応処理を示している。図に示すように、ＵＰＳは、常時、バックアップ電力の供給を停止させる意味のシャットダウン指示（ＬレベルのＢＳ信号）をマスターＮＡＳから受信したか否かを判断し（Ｓ２６２）、シャットダウン指示を受信したと判断したときには自らに対してシャットダウンの処理を行う（Ｓ２６４）ようにされている。これにより、ＬレベルのＢＳ信号が制御信号入力回路１６４に入力されると、ＵＰＳからのバックアップ電力の供給を停止させる処理が行われる。その結果、ＵＰＳは、バックアップ電力の供給を停止する。
以上により、マスターＮＡＳ２００は、制御信号入力回路１６４にバックアップ電力の供給を停止させる信号を出力することにより、自らに対してシャットダウンの処理を行った後にＵＰＳに対してバックアップ電力の供給を停止させる。従って、本システム１０００によれば、ＮＡＳ２００，３００を保護しながらＵＰＳ１００のバックアップ電力の供給源を保護することができる。
【００４７】
以上説明したように、スレーブＮＡＳでは、ＵＰＳの電源状態信号生成回路からマスターＮＡＳへバックアップ電力の供給を表す状態の信号が入力されたことに応じて、シャットダウンの処理が行われる。また、マスターＮＡＳでは、電源状態信号生成回路１６２で生成されるバックアップ電力の供給を表す状態の信号が入力されたとき、バックアップ電力の被供給に対応した情報（シャットダウンの指示）が生成され、スレーブＮＡＳに対してバックアップ電力が供給されている状態に対応した処理を実行させる。従って、バックアップ電力が供給されている状態をＵＰＳから直接知ることができないスレーブＮＡＳについても商用電源の停電時にバックアップ電力が供給されている状態に対応したシャットダウン処理を行うことができ、商用電源の停電時にスレーブＮＡＳが保護される。その際、マスターＮＡＳおよびスレーブＮＡＳのみを内部ネットワークに接続しておけば、ＰＣ等のＮＡＳ以外の機器を内部ネットワークに接続しなくてもマスターＮＡＳおよびスレーブＮＡＳが保護されるので、簡素なシステム構成でマスターＮＡＳおよびスレーブＮＡＳが保護される。
また、内部ネットワークに接続されたスレーブＮＡＳの存在が確認された後にマスターＮＡＳでバックアップ電力が供給されている状態に対応したシャットダウン処理が行われるので、より確実にマスターＮＡＳが保護される。
【００４８】
なお、図１３に示すように、シャットダウンの処理の終了が表された処理終了情報の送受信が行われなくても、マスターＮＡＳとスレーブＮＡＳとで適切にシャットダウンの処理を行うことができる。同図の停止処理では、Ｓ２１６の代わりにＳ３０２の処理がマスターＮＡＳ側で行われ、スレーブＮＡＳ側のＳ２３０の処理が省略されている。
同図のＳ２０２〜Ｓ２１０，Ｓ２２２〜Ｓ２２６の処理が行われ、マスターＮＡＳがシャットダウンの処理の開始を表す処理開始情報を受信すると、マスターＮＡＳは、ＵＰＳの制御信号入力回路１６４にＵＰＳのシャットダウンを指示するＬレベルのＢＳ信号を出力する（Ｓ３０２）。すると、ＵＰＳは、図１２で示したシャットダウン指示対応処理を行うが、マスターＮＡＳがシャットダウンの処理を行うための時間を確保するためＳ２６４では所定の時間Ｔｕ（秒）待機した後にＵＰＳのシャットダウン処理を行う。この時間Ｔｕは、マスターＮＡＳおよびスレーブＮＡＳがシャットダウンの処理を行うのに十分な時間Ｔｍより長くすればよい。また、ＵＰＳは、マスターＮＡＳ２００から時間Ｔｕの設定入力を受け付けて受け付けた時間Ｔｕをメモリ１２０ｃ等に記憶し、記憶した時間Ｔｕ（秒）待機した後に自らのシャットダウン処理を行うようにしてもよい。さらに、ＰＣ４００にて時間Ｔｕの操作入力を受け付け、この入力された時間ＴｕをマスターＮＡＳ２００へ送信してマスターＮＡＳの記憶部２４０に時間Ｔｕを記憶させ、この記憶した時間ＴｕをＵＰＳへ例えばシリアル信号ケーブル１８０経由で送信してＵＰＳのメモリ等に記憶させてもよい。
【００４９】
なお、スレーブＮＡＳでは、Ｓ２２６で処理開始情報を送信した後、Ｓ２２８で自らに対してシャットダウン処理を行い、適宜Ｓ２３２でシャットダウン終了の旨を出力して、停止処理を終了する。一方、マスターＮＡＳでは、Ｓ３０２でＵＰＳへシャットダウン指示を送信した後、Ｓ２１４で自らに対してシャットダウン処理を行い、停止処理を終了する。
以上のようにして、マスターＮＡＳは、ＵＰＳの制御信号入力回路にバックアップ電力の供給を停止させる信号を出力することにより、自らに対してバックアップ電力が供給されている状態に対応したシャットダウン処理を行った後にＵＰＳに対してバックアップ電力の供給を停止させる。これにより、マスターＮＡＳおよびスレーブＮＡＳを保護しながらＵＰＳのバックアップ電力の供給源を保護することができる。
【００５０】
また、図１４に示すように、ＬＡＮに接続されたスレーブＮＡＳのシャットダウン処理が行われることを確認することができない場合、ＵＰＳへのシャットダウンを指示しないようにしてスレーブＮＡＳを電源遮断から保護するようにしてもよい。同図では、マスターＮＡＳの停止処理のみが示されている。スレーブＮＡＳでは、図１１で示した停止処理が行われる。
マスターＮＡＳ２００は、ＵＰＳの電源状態信号生成回路１６２からＬレベルのＢＵ信号を入力すると、本停止処理を開始し、スレーブＮＡＳ３００の存在を問い合わせる旨の情報をスレーブＮＡＳに対して出力する（Ｓ２０４）。問い合わせ情報送信後、マスターＮＡＳは、前記スレーブＮＡＳから該スレーブＮＡＳの存在を表す存在情報を受信すると（Ｓ２０６）、該スレーブＮＡＳに対するシャットダウンの指示を該スレーブＮＡＳに対して出力する（Ｓ２０８）。なお、後述するＳ３２４，Ｓ３２６の処理を行うため、マスターＮＡＳは、例えば、シャットダウン指示を出力した時のタイマ回路２１４の時刻Ｔ１をＲＡＭ２１３に記憶し、シャットダウン指示の再送信回数を表すカウンタに０を代入する。ここで、スレーブＮＡＳは、シャットダウンの指示を入力したとき、シャットダウンの処理の開始が表された処理開始情報をマスターＮＡＳに対して出力するとともに、自らに対してシャットダウンの処理を行うはずである。
【００５１】
マスターＮＡＳは、シャットダウン指示の送信後、上記処理開始情報を受信したか否かを判断する（Ｓ３２２）。該情報を受信したと判断した場合、上述したように、マスターＮＡＳは、シャットダウン処理の終了が表された処理終了情報を受信し、自らに対してシャットダウンの処理を行い、ＵＰＳの制御信号入力回路に対してＵＰＳのシャットダウンを指示するＬレベルのＢＳ信号を出力して（Ｓ２１２〜Ｓ２１６）、停止処理を終了する。すなわち、マスターＮＡＳは、信号ケーブルを介して制御信号入力回路にシャットダウンの指示を出力することにより、自らに対してシャットダウンの処理を行った後にＵＰＳに対してバックアップ電力の供給を停止させる。
【００５２】
Ｓ３２２で上記処理開始情報を受信していないと判断した場合、マスターＮＡＳは、スレーブＮＡＳに対してシャットダウンの指示を出力してから所定期間ｔ１秒（例えば１秒）が経過したか否かを判断する（Ｓ３２４）。マスターＮＡＳは記憶部２４０にｔ１を記憶しており、Ｓ３２４の判断処理は、例えば、現在のタイマ回路２１４の時刻Ｔ２と上述した記憶時刻Ｔ１との時間差Ｔ２−Ｔ１（秒）がｔ１以上であるか否かを判断することにより行うことができる。マスターＮＡＳは、所定期間ｔ１が経過していないと判断した場合にＳ３２２へ戻り、所定期間ｔ１が経過したと判断した場合にスレーブＮＡＳに対するシャットダウンの再指示を上限回数ｎ１回（例えば１回）送信したか否かを判断する（Ｓ３２６）。マスターＮＡＳは記憶部２４０にｎ１を記憶しており、Ｓ３２６の判断処理は、再送信回数を表すカウンタがｎ１以上か否かを判断することにより行うことができる。上限回数ｎ１回送信していないと判断した場合、上記存在情報を受信したスレーブＮＡＳに対してシャットダウンの指示を再送信し（Ｓ３２８）、再送信回数を表すカウンタに１を加算してＳ３２２に戻る。一方、上限回数ｎ１回送信したと判断した場合、自らに対してシャットダウンの処理を行い（Ｓ３３０）、ＵＰＳに対するシャットダウンの指示を送信しないで停止処理を終了する。
すなわち、マスターＮＡＳは、Ｓ３２２〜Ｓ３２８にて、シャットダウンの指示を出力してから所定期間ｔ１秒内にスレーブＮＡＳから上記処理開始情報が入力されないときに再び該スレーブＮＡＳに対してシャットダウンの指示を出力する処理を所定の上限回数ｎ１回内で行う。そして、該処理を前記上限回数ｎ１回行った後に前記所定期間ｔ１秒内に前記スレーブＮＡＳから前記処理開始情報が入力されないとき、制御信号入力回路１６４にバックアップ電力の供給を停止させるＬレベルのＢＳ信号を出力せずに自らに対してシャットダウンの処理を行う。
【００５３】
本変形例では、スレーブＮＡＳが応答しない場合でもマスターＮＡＳでバックアップ電力が供給されている状態に対応したシャットダウン処理が確実に行われるので、より確実にマスターＮＡＳを保護することができる。また、スレーブＮＡＳが応答しない場合にはＵＰＳのバックアップ電力の供給が停止されないので、より確実にスレーブＮＡＳを保護することができる。
【００５４】
さらに、図１５に示すように、スレーブＮＡＳに対するシャットダウン指示をブロードキャスト送信して停止処理を行うようにしてもよい。
マスターＮＡＳ２００は、ＵＰＳの電源状態信号生成回路１６２からＬレベルのＢＵ信号を入力すると、本停止処理を開始する。Ｓ４０２では、適宜、バックアップ信号入力の旨を外部に出力する。Ｓ４０４では、ＬＡＮに接続されたすべての機器にデータを送信するブロードキャスト送信にてスレーブＮＡＳに対するシャットダウンの指示をＬＡＮに対して出力する。
【００５５】
スレーブＮＡＳは、ＬＡＮからシャットダウンの指示を入力したとき、停止処理を開始し、シャットダウンの処理の開始が表された処理開始情報をマスターＮＡＳに対して出力する（Ｓ４２２）。マスターＮＡＳでは、同処理開始情報を受信する（Ｓ４０６）。スレーブＮＡＳでは、自らに対してシャットダウンの処理を行い（Ｓ４２４）、シャットダウンの処理の終了が表された処理終了情報をマスターＮＡＳに対して出力し（Ｓ４２６）、適宜、シャットダウン処理終了の旨を外部に出力して（Ｓ４２８）、停止処理を終了する。マスターＮＡＳでは、同処理開始情報を受信し、自らに対してシャットダウンの処理を行い、ＵＰＳの制御信号入力回路に対してＵＰＳのシャットダウンを指示するＬレベルのＢＳ信号を出力して（Ｓ４０８〜Ｓ４１２）、停止処理を終了する。
本変形例では、内部ネットワークに接続されたスレーブＮＡＳに対して個別にネットワークアドレスを指定してバックアップ電力の被供給に対応した情報を送信する必要が無いので、マスターＮＡＳの処理を軽減させることができる。
【００５６】
さらに、図１６に示すように、スレーブＮＡＳからマスターＮＡＳに自らのシャットダウンが必要か否かを問い合わせて停止処理を行うようにしてもよい。ここで、スレーブＮＡＳが行う停止処理は、例えば、タイマ回路を利用した割り込み処理により、所定の時間間隔（例えば５分間隔）で繰り返し行われる。
スレーブＮＡＳは、停止処理を開始すると、シャットダウン指示の確認要求をマスターＮＡＳに対して送信する（Ｓ５２２）。
【００５７】
マスターＮＡＳは、上記確認要求を受信すると、停止処理を開始し、ＵＰＳの電源状態信号生成回路から電源状態信号（ＢＵ信号）を入力する（Ｓ５０２）。Ｓ５０４では、ＵＰＳがバックアップ電力を供給している状態であるか否かを判断し、判断結果をスレーブＮＡＳに送信する。この判断処理は、例えば、ＢＵ信号の状態をＩ／Ｏポートから読み込むことにより行うことができる。そして、ＢＵ信号がＬレベルの場合に条件成立となってＳ２０４〜Ｓ２１６の処理が行われ、ＢＵ信号がＨレベルの場合に条件不成立となって停止処理が終了する。従って、マスターＮＡＳは、ＵＰＳの電源状態信号生成回路がバックアップ電力の供給を表す状態の信号を生成したとき、自らに対してシャットダウン処理を行うことになる。
スレーブＮＡＳでは、上記判断結果を受信し、該判断結果に基づいてＵＰＳがバックアップ電力を供給している状態であるか否かを判断する（Ｓ５２４）。そして、ＢＵ信号がＬレベルの場合に条件成立となってＳ２２２〜Ｓ２３４の処理が行われ、ＢＵ信号がＨレベルの場合に条件不成立となって停止処理が終了する。
【００５８】
ＢＵ信号がＬレベルの場合、マスターＮＡＳは、概略、スレーブＮＡＳに対するシャットダウンの指示を生成し、自らに対してシャットダウンの処理を行い、ＵＰＳに対してシャットダウンを指示するＬレベルのＢＳ信号を出力する処理を行い、停止処理を終了する。一方、スレーブＮＡＳは、概略、ＬＡＮからシャットダウンの指示を入力したとき、自らに対してシャットダウンの処理を行う。従って、スレーブＮＡＳでは、マスターＮＡＳでシャットダウンの指示が生成されたとき、自らに対してバックアップ電力が供給されている状態に対応したシャットダウン処理が行われる。
本変形例では、ＵＰＳからバックアップ電力が供給されているときにその旨の情報を常時出力するようにはされていないマスターＮＡＳを用いる場合でも、スレーブＮＡＳにて商用電源の停電時にバックアップ電力が供給されている状態に対応した処理を行うことが可能になり、商用電源の停電時にスレーブＮＡＳを保護することが可能になる。
【００５９】
（３）その他の変形例：
上記内部ネットワークには、スレーブＮＡＳ（第一のスレーブＮＡＳ）に対するスレーブＮＡＳ（第二のスレーブＮＡＳ）が接続されてもよい。この場合、第一のスレーブＮＡＳは、マスターＮＡＳでシャットダウンの指示（バックアップ電力の被供給に対応した情報）が生成されたとき、第二のスレーブＮＡＳに対してバックアップ電力が供給されている状態に対応したシャットダウン処理を実行させるシャットダウンの指示（バックアップ電力の被供給に対応した情報）を生成するとともに、自らに対してシャットダウンの処理を行えばよい。また、第二のスレーブＮＡＳは、第一のスレーブＮＡＳでシャットダウンの指示が生成されたとき、自らに対してシャットダウンの処理を行えばよい。シャットダウン処理を実行させるストレージ装置の階層構造は、このような３層構造よりも多い階層構造とすることもできる。
また、マスターＮＡＳとスレーブＮＡＳとをＵＳＢ規格の信号ケーブルのようなシリアル信号ケーブル等の専用の信号線で接続し、上述した両ＮＡＳ間のデータ送受信を該信号線経由で行ってもよい。
【００６０】
上記ＰＣ４００は、ＵＰＳの電源状態信号生成回路からマスターＮＡＳへバックアップ電力の供給を表す状態の信号が入力されたことに応じて、自らに対してバックアップ電力が供給されている状態に対応した処理を行ってもよい。また、内部ネットワークに接続されるＮＡＳ以外の機器も、ＵＰＳの電源状態信号生成回路からマスターＮＡＳへバックアップ電力の供給を表す状態の信号が入力されたことに応じて、自らに対してバックアップ電力が供給されている状態に対応した処理を行ってもよい。これらの場合、内部ネットワークに接続された機器は、スレーブＮＡＳの停止処理と同様の停止処理を行えばよい。すると、バックアップ電力が供給されている状態をＵＰＳから直接知ることができない機器についても商用電源の停電時にバックアップ電力が供給されている状態に対応した処理を行うことが可能になり、商用電源の停電時に同機器を保護することが可能になる。
【００６１】
なお、本発明は、上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。
【図面の簡単な説明】
【００６２】
【図１】ストレージ電源供給システムの構成の例を模式的に示すブロック図。
【図２】無停電電源装置の構成の例を模式的に示すブロック図。
【図３】電源状態信号生成回路および信号入力回路の例を示す回路図。
【図４】制御信号入力回路および信号出力回路の例を示す回路図。
【図５】ストレージ装置のハードウェア構成の例をＵＰＳとともに示すブロック図。
【図６】パーソナルコンピュータのハードウェア構成の例をＵＰＳとともに示すブロック図。
【図７】ＰＣが行う設定処理の例を示すフローチャート。
【図８】メイン画面の表示例を示す図。
【図９】ネットワークアドレス設定画面の表示例を示す図。
【図１０】ＵＰＳ連動機能設定画面の表示例を示す図。
【図１１】停止処理の例を示すフローチャート。
【図１２】ＵＰＳが行う処理の例を示すフローチャート。
【図１３】停止処理の例を示すフローチャート。
【図１４】停止処理の例を示すフローチャート。
【図１５】停止処理の例を示すフローチャート。
【図１６】停止処理の例を示すフローチャート。
【符号の説明】
【００６３】
１００…無停電電源装置、１４０…電源供給回路、１５０…バックアップ回路、
１６０…通信回路、１６２…電源状態信号生成回路、１６４…制御信号入力回路、
１６６…コネクタ、１８０…信号ケーブル、
２００…マスターストレージ装置（第一のストレージ装置）、２０１…電源コード、
２２０…通信回路、２２２…信号入力回路、２２４…信号出力回路、
２２６…コネクタ、２３０…ＬＡＮ用通信回路、
３００…スレーブストレージ装置（第二のストレージ装置）、３０１…電源コード、
３３０…ＬＡＮ用通信回路、
１０００…ストレージ電源供給システム、
Ｎ１…ネットワーク、
【図１】
2008182787.tif 000003
【図２】
2008182787.tif 000004
【図３】
2008182787.tif 000005
【図４】
2008182787.tif 000006
【図５】
2008182787.tif 000007
【図６】
2008182787.tif 000008
【図７】
2008182787.tif 000009
【図８】
2008182787.tif 000010
【図９】
2008182787.tif 000011
【図１０】
2008182787.tif 000012
【図１１】
2008182787.tif 000013
【図１２】
2008182787.tif 000014
【図１３】
2008182787.tif 000015
【図１４】
2008182787.tif 000016
【図１５】
2008182787.tif 000017
【図１６】
2008182787.tif 000018